(57)【要約】【課題】  チューブコネクタ１０内に冷媒フィルタ６０を良好に収納【解決手段】  フィルタの収納構造において、チューブコネクタ１０には、冷媒入口部１３、フィルタ挿入口１４および冷媒出口部１５が設けられている。チューブコネクタ１０の冷媒出口部１５に対する冷媒配管４１のろう付けが終わった後に、冷媒フィルタ６０をフィルタ挿入口１４を通してハウジング本体１１内に挿入する。その後、プレッシャスイッチ５０によりフィルタ挿入口１４を閉鎖する。このように、ろう付けの後に、冷媒フィルタ６０をフィルタ挿入口１４を通してハウジング本体１１内に挿入するので、冷媒フィルタ６０が融けることを避けることができる。【選択図】図４
2009156526.tif 000002
【特許請求の範囲】
【請求項１】
冷媒を濾過するフィルタ（６０）と、
冷媒入口部（１３）から流入した前記冷媒を冷媒出口部（１５）に向けて流す冷媒流路を備えるコネクタハウジング（１１）と、を備え、
前記冷媒入口部および前記冷媒出口部のうち少なくとも一方には、前記冷媒を流す冷媒配管がろう付けされるようになっており、
前記冷媒流路は、前記冷媒入口部から曲がり部（１２０）を介して前記冷媒出口部までＬ字状に延びるように形成されており、
前記コネクタハウジングには、前記曲がり部まで連通して前記フィルタを挿入する挿入口（１４）が設けられており、
前記挿入口を閉塞する栓（５０、５０Ａ）を備え、
前記フィルタは、前記挿入口を通して前記コネクタハウジング内に挿入された状態で、前記冷媒入口部から前記冷媒出口部に向けて流れる冷媒を濾過するようになっていることを特徴とする冷凍サイクル装置のフィルタの収納構造。
【請求項２】
前記栓には、前記冷媒流路内の冷媒圧力を検出する圧力センサが設けられていることを特徴とする請求項１に記載の冷凍サイクル装置のフィルタの収納構造。
【請求項３】
前記フィルタは、
筒状に形成され、軸線方向に直交する方向に開口して前記冷媒入口部から流入する冷媒を導入する冷媒導入口（６１）を有する入口筒部（６２）と、
前記入口筒部からの軸線方向に筒状で延出し、前記冷媒導入口から導入された冷媒を濾過するフィルタ本体（６３）と、を有することを特徴とする請求項１または２に記載の冷凍サイクル装置のフィルタの収納構造。
【請求項４】
前記コネクタハウジングの内部には、前記入口筒部のうち前記フィルタ本体側端部（６２ａ）に干渉して前記フィルタの位置を決める位置決め部（１２５）が設けられていることを特徴とする請求項３に記載の冷凍サイクル装置のフィルタの収納構造。
【請求項５】
前記挿入口内には、第１のネジ部（１１０ａ）が設けられており、
前記栓（５０、５０Ａ）には、第１のネジ部に噛み合う第２のネジ部（５０ａ）が設けられており、
前記第１、第２のネジ部が互いに噛み合った状態で前記栓が前記挿入口を封鎖するようになっていることを特徴とする請求項１ないし４のいずれか１つに記載の冷凍サイクル装置のフィルタの収納構造。
【請求項６】
前記冷凍サイクル装置は、前記冷媒を冷却するコンデンサ（２０）と、前記コンデンサから流れ出る冷媒を減圧する減圧器（３１）とを有しており、
前記コネクタハウジングの冷媒入口部は、前記コンデンサの冷媒出口側に接続され、
前記コネクタハウジングの冷媒出口部は、前記減圧器に向けて冷媒を流す冷媒配管の冷媒入口側に接続されていることを特徴とする請求項１ないし５のいずれか１つに記載の冷凍サイクル装置のフィルタの収納構造。
【発明の詳細な説明】
【技術分野】
【０００１】
本発明は、冷凍サイクル装置のフィルタの収納構造に関する。
【背景技術】
【０００２】
従来、フィルタの収納構造では、冷媒入口部および冷媒出口部を有する冷媒流路が形成されているチューブコネクタと、冷媒入口部に接続された第１の冷媒配管と、冷媒出口部に接続された第２の冷媒配管と、第１の冷媒配管側から第２の冷媒配管に流れる冷媒を濾過する冷媒フィルタとを備える。
【０００３】
冷媒フィルタは、筒状に形成されており、冷媒フィルタの軸線方向一方側は、第１の冷媒配管内に配置されている。冷媒フィルタの軸線方向他方側は、第２の冷媒配管内に配置されている。すなわち、冷媒フィルタは、第１の冷媒配管からチューブコネクタを通して第２の冷媒配管までの範囲内に配置されていることになる。
【発明の開示】
【発明が解決しようとする課題】
【０００４】
上述のフィルタの収納構造では、冷媒フィルタは、第１の冷媒配管からチューブコネクタを通して第２の冷媒配管までの範囲内に配置されている。このため、冷媒フィルタがチューブコネクタおよび第１、第２の冷媒配管内に収納した状態で、チューブコネクタに対して第１、第２の冷媒配管をろう付けすると、第１、第２の冷媒配管が加熱されて高温になる。このため、冷媒フィルタとして樹脂材料からなるものを用いると、冷媒フィルタが融けてしまい冷媒フィルタに不具合が生じるという問題がある。
【０００５】
本発明は、上記点に鑑み、冷媒フィルタを良好に収納できる冷凍サイクル装置のフィルタの収納構造を提供することを目的とする。
【課題を解決するための手段】
【０００６】
上記目的を達成するため、請求項１に記載の発明では、冷媒を濾過するフィルタ（６０）と、
冷媒入口部（１３）から流入した前記冷媒を冷媒出口部（１５）に向けて流す冷媒流路を備えるコネクタハウジング（１１）と、を備え、
前記冷媒入口部および前記冷媒出口部のうち少なくとも一方には、前記冷媒を流す冷媒配管がろう付けされるようになっており、
前記冷媒流路は、前記冷媒入口部から曲がり部（１２０）を介して前記冷媒出口部までＬ字状に延びるように形成されており、
前記コネクタハウジングには、前記曲がり部まで連通して前記フィルタを挿入する挿入口（１４）が設けられており、
前記挿入口を閉塞する栓（５０、５０Ａ）を備え、
前記フィルタは、前記挿入口を通して前記コネクタハウジング内に挿入された状態で、前記冷媒入口部から前記冷媒出口部に向けて流れる冷媒を濾過するようになっていることを特徴とする。
【０００７】
これにより、冷媒入口部および冷媒出口部に対する冷媒配管のろう付けが終わった後に、フィルタを挿入口を通してコネクタハウジング内に挿入することが可能になるので、ろう付けによりフィルタに不具合が生じることを避けることができる。
【０００８】
請求項２に記載の発明では、前記栓には、前記冷媒流路内の冷媒圧力を検出する圧力センサが設けられていることを特徴とする。
【０００９】
請求項３に記載の発明では、前記フィルタは、筒状に形成され、軸線方向に直交する方向に開口して前記冷媒入口部から流入する冷媒を導入する冷媒導入口（６１）を有する入口筒部（６２）と、
前記入口筒部からの軸線方向に筒状で延出し、前記冷媒導入口から導入された冷媒を濾過するフィルタ本体（６３）と、を有することを特徴とする。
【００１０】
請求項４に記載の発明では、前記コネクタハウジングの内部には、前記入口筒部のうち前記フィルタ本体側端部（６２ａ）に干渉して前記フィルタの位置を決める位置決め部（１２５）が設けられていることを特徴とする。
【００１１】
請求項５に記載の発明では、前記挿入口内には、第１のネジ部（１１０ａ）が設けられており、
前記栓（５０、５０Ａ）には、第１のネジ部に噛み合う第２のネジ部（５０ａ）が設けられており、
前記第１、第２のネジ部が互いに噛み合った状態で前記栓が前記挿入口を封鎖するようになっていることを特徴とする。
【００１２】
これにより、栓を挿入口から容易に外すことができるので、フィルタの交換が容易になる。
【００１３】
請求項６に記載の発明では、前記冷凍サイクル装置は、前記冷媒を冷却するコンデンサ（２０）と、前記コンデンサから流れ出る冷媒を減圧する減圧器（３１）とを有しており、
前記コネクタハウジングの冷媒入口部は、前記コンデンサの冷媒出口側に接続され、
前記コネクタハウジングの冷媒出口部は、前記減圧器に向けて冷媒を流す冷媒配管の冷媒入口側に接続されていることを特徴とする。
【００１４】
なお、特許請求の範囲およびこの欄で記載した各手段の括弧内の符号は、後述する実施形態に記載の具体的手段との対応関係を示すものである。
【発明を実施するための最良の形態】
【００１５】
（第１実施形態）
図１に本発明に係る冷凍サイクル装置のフィルタの収納構造を車両空調装置用のコンデンサのチューブコネクタに適用した例について説明する。図１はチューブコネクタ１０およびコンデンサ２０を示す斜視図である。
【００１６】
コンデンサ２０は、コンプレッサ３０から吐出された冷媒を冷却する熱交換器であって、図２に示すように、コンプレッサ３０、減圧器３１、および蒸発器３２とともに、周知の冷凍サイクル装置を構成する。
【００１７】
コンプレッサ３０は、冷媒を吸入し圧縮して吐出する。減圧器３１はコンデンサ２０により冷却された冷媒を減圧する。蒸発器３２は減圧器３１により減圧された冷媒を蒸発させる。
【００１８】
コンデンサ２０は、図１に示すように、冷媒を冷却する熱交換コア２１と、熱交換コア２１に対する冷媒の流入および熱交換コア２１からの冷媒の回収を行うタンク２２、２３とを備える。
【００１９】
タンク２２には、冷媒入口コネクタ部２３および冷媒出口コネクタ部２４が設けられている。冷媒入口コネクタ部２４にはコンプレッサ３０の吐出口側との間を接続する冷媒配管４０が接続されている。
【００２０】
冷媒出口コネクタ部２４には、チューブコネクタ１０を介して冷媒配管４１の冷媒入口側が接続されている。すなわち、チューブコネクタ１０は、コンデンサ２０の冷媒出口コネクタ部２４付近に配置されることになる。
【００２１】
冷媒配管４１は、コンデンサ２０と減圧器３１との間を接続するものである。本実施形態の冷媒配管４０、４１は、それぞれ、アルミニウム合金製の配管が用いられている。
【００２２】
図３にチューブコネクタ１０の正面図、図４に図３中Ａ−Ａ断面図、図５に図３中Ｂ−Ｂ断面図を示す。図５にチューブコネクタ１０の内部を示す部分断面図を示す。
【００２３】
図３に示すように、チューブコネクタ１０は、略直方体の形状を有するハウジング本体１１を備えている。ハウジング本体１１には、筒状に突出する入口パイプ部１２が設けられている。入口パイプ部１２の先端側には、冷媒入口部１３が開口している。
【００２４】
入口パイプ部１２には、図４および図５に示すように、０リング１６が嵌め込まれている。０リング１６は、入口パイプ部１２の外周部を囲むようにリング状に形成されている。入口パイプ部１２がコンデンサ２０の冷媒出口コネクタ部２４内に挿入された状態で、０リング１６は、入口パイプ部１２と冷媒出口コネクタ部２４との間を密閉する。
【００２５】
ハウジング本体１１には、貫通孔１１ａを有する取付部１１ｂが設けられている。貫通孔１１ａには、コンデンサ２０に対してハウジング本体１１を固定するためのボルト（図示省略）を貫通させるものである。
【００２６】
ハウジング本体１１には、冷媒出口部１５およびフィルタ挿入口１４が設けられている。フィルタ挿入口１４は、ハウジング本体１１のうち図３中右側に開口している。冷媒出口部１５は、ハウジング本体１１のうち図３中左側に開口している。
【００２７】
入口パイプ部１２の冷媒入口部１３から冷媒出口部１５までの冷媒流路は、曲がり部１２０を介してＬ字状に延出している。なお、Ｌ字状の冷媒流路とは、冷媒入口部１３から曲がり部１２０まで延びる第１の方向と冷媒出口部１５から曲がり部１２０まで延びる第２の方向とが交差する角度は、９０度以外の角度でもよい。
【００２８】
フィルタ挿入口１４と冷媒出口部１５との間には一方方向に貫通する貫通孔１００が設けられている。貫通孔１００は開口断面が円形状に形成されている。
【００２９】
貫通孔１００の内周面のうちフィルタ挿入口１４側には、大内径部１１０が設けられている。大内径部１１０には、雌ねじ１１０ａが設けられている。
【００３０】
貫通孔１００の内周面のうち大内径部１１０に対して冷媒出口部１５側には、曲がり部１２０が設けられている。曲がり部１２０は、大内径部１１０よりも内径（孔径）が小さくなっている。
【００３１】
大内径部１１０および曲がり部１２０の間には、大内径部１１０から曲がり部１２０に向かって内径が徐々に小さくなるテーパ部１１５が設けられている。テーパ部１１５は、後述するようにフィルタ４０の挿入を案内する。
【００３２】
貫通孔１００の内周面のうち曲がり部１２０と冷媒出口１５との間には、配管挿入部１３０が設けられている。配管挿入部１３０には、冷媒配管４１が挿入されている。曲がり部１２０と冷媒配管４１の先端部との間には、曲がり部１２０から冷媒配管４１に向かって内径が徐々に小さくなるテーパ部１２５が設けられている。テーパ部１２５は、後述するように、フィルタ４０の位置決めを行う。
【００３３】
フィルタ挿入口１４には、冷凍サイクル装置の高圧側冷媒圧力を検出する周知のプレッシャスイッチ５０が嵌め込まれている。プレッシャスイッチ５０は、冷媒入口部１３から冷媒出口部１５に向かって流れる冷媒圧力する検出する圧力センサ５０ａを備え、この圧力センサ５０ａは、検出圧力値が一定以上になると、出力信号をローレベル信号からハイレベル信号に変更する。
【００３４】
なお、圧力センサ５０ａとしては、検出圧力値が一定以上になると出力信号のレベルをローレベルからハイレベルに変更する場合に限らず、検出圧力値が一定以上になると出力信号のレベルをハイレベルからローレベルに変更するようにしてもよい。
【００３５】
プレッシャスイッチ５０には、上述した雌ねじ１１０ａに噛み合う雄ねじ５０ａが設けられている。プレッシャスイッチ５０は、雄ねじ５０ａが雌ねじ１１０ａに噛み合った状態で、フィルタ挿入口１４を閉塞している。
【００３６】
ハウジング本体１１内には、図４に示すように、冷媒フィルタ６０が収納されている。図６（ａ）に冷媒フィルタ６０単体の正面図、図６（ｂ）に冷媒フィルタ６０単体の左側面図、図６（ｃ）に冷媒フィルタ６０単体の右側面図を示す。
【００３７】
図７にハウジング本体１１内部を示す半断面図を示す。
【００３８】
図６（ａ）〜（ｃ）に示すように、冷媒フィルタ６０は、筒状に形成され、かつその軸線方向に直交する方向に開口して冷媒導入口６１を有する樹脂製の入口筒部６２と、入口筒部６２からの軸線方向の一方側に筒状で延出し、かつ冷媒導入口６２から導入された冷媒を濾過する樹脂製のフィルタ本体６３とを備える。  冷媒導入口６１には、冷媒入口部１３から導入した冷媒が流れる。フィルタ本体６３は、ハウジング本体１１から冷媒配管４１内に延びるように配置されている。
【００３９】
入口筒部６２のうち軸線方向の一方側の外周部は、フィルタ本体６３に向かって徐々に直径が小さくなるテーパ部６２ａが設けられている。入口筒部６２のうち軸線方向の他方側には開口部６２ｂが設けられている。
【００４０】
次に、本実施形態のチューブコネクタ１０への冷媒フィルタ６０の収納について説明する。
【００４１】
まず、ハウジング本体１１の配管挿入部１３０に冷媒配管４１を挿入して、ハウジング本体１１に対して冷媒配管４１をろう付けにより接合する。
【００４２】
その後、ハウジング本体１１のフィルタ挿入口１４内に冷媒フィルタ６０のフィルタ本体６３を向けて挿入する。このとき、フィルタ本体６３の先端部は、テーパ部１１５、１２５により冷媒配管４１側に案内される。
【００４３】
その後、フィルタ本体６３のテーパ部６２ａが貫通孔１００内のテーパ部（内壁）１２５に干渉する。このことにより、チューブコネクタ１０のハウジング本体１１に対する冷媒フィルタ６０の位置が決まることになる。
【００４４】
次に、入口筒部６２の冷媒導入口６１を冷媒入口部１３側に向ける。その後、プレッシャスイッチ５０により入口筒部６２のフィルタ挿入口１４を閉塞する。
【００４５】
このように構成された本実施形態では、コンデンサ２０の冷媒出口コネクタ部２４側から流入した冷媒は冷媒入口部１３を通して曲がり部１２０側に流れ、その後、この冷媒は、冷媒フィルタ６０の入口筒部６２の冷媒導入口６１内に導入される。
【００４６】
この冷媒は、冷媒導入口６１からフィルタ本体６３を通過して冷媒配管４１側に流れる。このことにより、冷媒はフィルタ本体６３により濾過されることになる。その後、この冷媒はフィルタ本体６３を通過後に減圧器３１側に流れる。
【００４７】
また、プレッシャスイッチ５０は、チューブコネクタ１０のハウジング本体１１内を流れる冷媒圧力を検出し、この冷媒圧力が一定圧力以上になるとローレベル信号からハイレベル信号に変更する。
【００４８】
以上説明した本実施形態によれば、チューブコネクタ１０冷媒出口部１５に対する冷媒配管４１のろう付けが終わった後に、冷媒フィルタ６０をフィルタ挿入口１４を通してハウジング本体１１内に挿入することが可能になるので、ろう付けにより冷媒フィルタ６０が融けることを避けることができる。
【００４９】
本実施形態では、プレッシャスイッチ５０は、雄ねじ５０ａが雌ねじ１１０ａに噛み合った状態で、フィルタ挿入口１４を閉塞している。これにより、これにより、プレッシャスイッチ５０をフィルタ挿入口１４から容易に外すことができるので、冷媒フィルタ６０の交換が容易になる。
【００５０】
（第２実施形態）
上述第２実施形態では、入口筒部６２のフィルタ挿入口１４を閉塞する蓋として、プレッシャスイッチ５０を用いたが、これに代えて、図８に示すように、圧力センサが内蔵されていない蓋５０Ａを用いて、入口筒部６２のフィルタ挿入口１４を閉塞してもよい。
【００５１】
（他の実施形態）
上述の各実施形態では、チューブコネクタ１０冷媒出口１５側に対して冷媒配管４１をろう付けにより接合した例について説明したが、これに限らず、チューブコネクタ１０の冷媒入口部１３に対して冷媒配管をろう付けにより接合してもよい。
【００５２】
上述の各実施形態では、チューブコネクタ１０をコンデンサ２０付近に配置した例について説明したが、これに限らず、冷凍サイクル装置内であれば何処に配置してもよい。
【００５３】
上述の各実施形態では、プレッシャスイッチ５０として冷凍サイクル装置の高圧側冷媒圧力を検出するものを用いた例について説明したが、これに限らず、低圧側の冷媒圧力を検出するものを用いても良い。この場合、チューブコネクタ１０を低圧側に配置することになる。
【００５４】
上述の各実施形態では、本発明のフィルタの収納構造を車両空調装置用の冷凍サイクル装置に適用した例について説明したが、これに限らず、車両空調装置以外の例えば、設置型空調装置、業務用冷凍機などの各種の冷凍サイクル装置に適用してもよい。
【図面の簡単な説明】
【００５５】
【図１】本発明のフィルタの収納構造の第１実施形態を示す斜視図である。
【図２】図１のフィルタの収納構造が適用される冷凍サイクル装置である。
【図３】図１のチューブコネクタの正面図である。
【図４】図３中Ａ−Ａ断面図である。
【図５】図３中Ｂ−Ｂ断面図である。
【図６】図３中フィルタ単体を示す図である。
【図７】図３のチューブコネクタの内部を示す半断面図である。
【図８】本発明のフィルタの収納構造の第２実施形態においてチューブコネクタの内部を示す半断面図である。
【符号の説明】
【００５６】
１０      チューブコネクタ
１１      ハウジング本体
１３      冷媒入口部
１４      フィルタ挿入口
１５      冷媒出口部
２０      コンデンサ
３０      コンプレッサ
３１      減圧器
３１      蒸発器
４１      冷媒配管
６０      冷媒フィルタ
【図１】
2009156526.tif 000003
【図２】
2009156526.tif 000004
【図３】
2009156526.tif 000005
【図４】
2009156526.tif 000006
【図５】
2009156526.tif 000007
【図６】
2009156526.tif 000008
【図７】
2009156526.tif 000009
【図８】
2009156526.tif 000010